(57)【要約】【課題】  レンジフードファンにおいて、据付状態により天井面と前幕板および横幕板の上面に隙間発生を回避し、住宅の天井高さバリエイショーンに対応する。【解決手段】  据付け状態で、天井面と前幕板および横幕板の上面に隙間発生を回避し、住宅の天井高さバリエイショーンに対応するために、前幕板を従来の一枚鋼板製作形状から、２枚構成の分離型形状とし、伸縮構造を設ける。また、前幕板に設ける伸縮機能位置と横幕板に設ける伸縮機能位置を同位置に設ける。また、レンジフードファン全体の美観の観点より伸縮量が同一量になる機構を前幕板と横幕板設ける。【選択図】図２
2008101858.tif 000002
【特許請求の範囲】
【請求項１】
排気のための送風機と、廃気捕集効率を高めるフード部と、このフード部の上部に設けられた屋外に通ずる排気ダクト配管と接続するためのダクト継手と、を有するレンジフードファンにおいて、前記排気ダクト配管と接続するダクト継手部の前方又は側方、若しくは前方及び側方を覆う化粧用幕板が上下方向に対して伸縮するレンジフードファン。
【請求項２】
請求項１記載のレンジフードファンにおいて、据付け時に天井面と前記幕板の上面との隙間を前記幕板の伸縮にて塞ぐレンジフードファン。
【発明の詳細な説明】
【技術分野】
【０００１】
本発明はダクトを覆う幕板を備えた台所の換気用レンジフードファンに関する。
【背景技術】
【０００２】
従来、レンジフードファン用の幕板は前幕板においても横幕板においても外観重視の観点から一枚の鋼板で作られていた。しかし、一枚で製作された前幕板および横幕板はレンジフードファンの据付け状態により天井面と前幕板および横幕板の上面に隙間が生じることがあった。
【０００３】
【特許文献１】特開平１１−１７３６１４号公報
【発明の開示】
【発明が解決しようとする課題】
【０００４】
従来のレンジフードファンでは、外部に通じるダクト配管と接続するダクト継手を覆う幕板が天井面と隙間が生じることがあり、据付け後のレンジフードファン全体の美観低下となるという問題があった。
【０００５】
また、据付状態により天井面と前幕板および横幕板の上面に生じる隙間は、美観低下によるレンジフードファンの取付作業のやり直しという問題をも発生させる。
【０００６】
また、前幕板および横幕板を一枚の鋼板で製作することによりレンジフードファンの性能確保と法規上の観点から、住宅の天井高さバリエイショーンに対し、それぞれの住宅の天井高さバリエイショーンに対応する高さに設計しなければならないという問題があった。
【０００７】
本発明の目的は、レンジフードファン化粧用前幕板および化粧用横幕板において、レンジフードファン全体の美観を損なわず、据付状態により天井面と前幕板および横幕板の上面に隙間発生を回避し、住宅の天井高さバリエイショーンに対応するレンジフードファンを提供することにある。
【課題を解決するための手段】
【０００８】
本発明のレンジフードファンは、幕板を従来の一枚鋼板製作形状から、２枚構成の分離型形状とし、伸縮構造を設けることで達成される。
【０００９】
また、横幕板においても従来の一枚鋼板製作形状から、２枚構成の分離型形状とし、伸縮効能を設けることで達成される。
【００１０】
また、レンジフードファン全体の美観の観点からは前幕板に設ける伸縮機能位置と横幕板に設ける伸縮機能位置を同位置に設けることで達成される。
【００１１】
また、レンジフードファン全体の美観の観点より伸縮量が同一量になる機構を前幕板と横幕板設けることで達成される。
【発明の効果】
【００１２】
本発明によれば、レンジフードファン化粧用前幕板および化粧用横幕板において、レンジフードファン全体の美観を損なわず、住宅の天井高さバリエイショーンに対応するレンジフードファンを提供することができる。
【００１３】
また、化粧用前幕板および化粧用横幕板はレンジフードファン本体を壁面に据付後、設置する事から天井面と前幕板および横幕板の上面に発生する隙間を回避する事が容易に可能となる。
【発明を実施するための最良の形態】
【００１４】
以下、発明の実施の形態を図面に基づいて説明する。
【００１５】
図１は本発明の実施例に係るレンジフードファンの化粧用前幕板の組込み正面図、図２は本発明の実施例に係るレンジフードファンの化粧用前幕板および化粧用横幕板の組込み側面図である。
【００１６】
図１において、レンジフードファン１の化粧用前幕板２は、レンジフードファン１据付け後の美観を保つため、送風機および排気用換気配管等をレンジフードファン使用者から見えないようにすべく、レンジフードファン１正面部に設置する。フード部１３の上にスペーサ１２を取り付け、その上方に化粧用前幕板２を取付ける。
【００１７】
図２において、化粧用横幕板（上部大ピース）３，化粧用横幕板（下部小ピース）４も化粧用前幕板２同様、レンジフードファン１据付後の美観を保つため、送風機および排気用換気配管等をレンジフードファン使用者から見えないようにするため、フード部１３上の側面部に設置するものである。これらの横幕板３，４も前幕板２と同様に、フード部
１３に取付けられる。
【００１８】
図３はレンジフードファン１を壁面８に据付ける際、レンジフードファン１据付けの特性上発生する化粧用前幕板２と天井面７の間の隙間９について図示するものである。
【００１９】
従来、図３の様に発生した隙間９は、レンジフードファン１を据付け直して、微調整を図るか、隙間９が発生した状態のまま放置されていた。本実施例では、図５で示すように化粧用前幕板２とスペーサ１２の間に伸縮機能部Ａ１０を設け、スライド幅ａ５にて微調整を図り、化粧用前幕板２の上面と、天井面７との隙間９を容易に無くす事が可能となる。
【００２０】
同様に図４にはレンジフードファン１を据付ける際、化粧用横幕板（上部大ピース）３と天井面７の間に発生する隙間９について図示する。図６に示す様に、従来１枚で構成され長さの調節が不可能であった横幕板を、化粧用横幕板（上部大ピース）３と化粧用横幕板（下部小ピース）４に２分割して、伸縮機能部Ｂ１１によりスライド幅ｂ６にて微調整を図り、化粧用横幕板（上部大ピース）３上面と天井面７の隙間９を容易に無くす事が可能となる。
【００２１】
図７および図８は、化粧用前幕板２および化粧用横幕板（上部大ピース）３を下部方向に移動し、伸縮機能部が最小稼動（スライド幅：０mm）状態を示している。化粧用前幕板２とスペーサ１２および化粧用横幕板（上部大ピース）３と化粧用横幕板(下部小ピース)４の間にスライド幅は存在しない状態である。
【００２２】
図９および図１０は、化粧用前幕板２および化粧用横幕板（上部大ピース）３を上部方向に移動し、伸縮機能部を上方向に適用した状態を示し、化粧用前幕板２とスペーサ１２および化粧用横幕板（上部大ピース）３と化粧用横幕板（下部小ピース）４の間にスライド幅が存在する状態である。
【００２３】
伸縮機能部１０，１１は、フード部１３に固定されているスペーサ１２および化粧用横幕板（下部小ピース）４の上部に設けられている。そして伸縮機能部１０，１１が、化粧用前幕板２と化粧用横幕板（上部大ピース）３とを上下方向に移動可能とすることで、化粧用前幕板２の上面および化粧用横幕板（上部大ピース）３上面と天井面７の隙間を容易に無くし、スライド幅決定後は左右の化粧用横幕板（上部大ピース）３をレンジフードファン１が据付されている壁面に固定する。化粧用前幕板２は左右の化粧用横幕板３に接続することで別に固定しなくてもよい。
【００２４】
本実施例において、前幕板に設ける伸縮機能部Ａ１０の位置と横幕板に設ける伸縮機能部Ｂ１１の位置を同じ高さ位置に設けてもよい。また、レンジフードファン全体の美観の観点より伸縮量が同一量になる機構を前幕板と横幕板設けてもよい。
【図面の簡単な説明】
【００２５】
【図１】本発明の一実施例を示すレンジフードファンおよび化粧用前幕板の組込み正面図。
【図２】本発明の一実施例を示すレンジフードファンおよび化粧用前幕板および化粧用横幕板の組込み側面図。
【図３】本発明の一実施例を示すレンジフードファン据付による化粧用前幕板と天井面の隙間を説明する図。
【図４】本発明の一実施例を示すレンジフードファンおよび化粧用前幕板伸縮機能詳細図。
【図５】本発明の一実施例を示すレンジフードファン据付による化粧用横幕板と天井面の隙間を説明する図。
【図６】本発明の一実施例を示すレンジフードファンおよび化粧用横幕板伸縮機能詳細図。
【図７】本発明の一実施例を示すレンジフードファンおよび化粧用前幕板および化粧用横幕板の組込みスライド幅最小時全体斜視図。
【図８】本発明の一実施例を示すレンジフードファンおよび化粧用前幕板および化粧用横幕板の組込みスライド幅最小時拡大斜視図。
【図９】本発明の一実施例を示すレンジフードファンおよび化粧用前幕板および化粧用横幕板の組込み伸縮機能稼動時全体斜視図。
【図１０】本発明の一実施例を示すレンジフードファンおよび化粧用前幕板および化粧用横幕板の組込み伸縮機能稼動時拡大斜視図。
【符号の説明】
【００２６】
１  レンジフードファン
２  化粧用前幕板
３  化粧用横幕板（上部大ピース）
４  化粧用横幕板（下部小ピース）
５  スライド幅ａ
６  スライド幅ｂ
７  天井面
８  壁面
９  隙間
１０  伸縮機能部Ａ
１１  伸縮機能部Ｂ
１２  スペーサ
１３  フード部
【図１】
2008101858.tif 000003
【図２】
2008101858.tif 000004
【図３】
2008101858.tif 000005
【図４】
2008101858.tif 000006
【図５】
2008101858.tif 000007
【図６】
2008101858.tif 000008
【図７】
2008101858.tif 000009
【図８】
2008101858.tif 000010
【図９】
2008101858.tif 000011
【図１０】
2008101858.tif 000012